(57)【特許請求の範囲】
【請求項１】
扉の下端側に、扉の下框に沿って水平方向にスライド可能に第１ロッドを設け、かつ、この第１ロッドの一端側を扉の幅方向一方に突出させる付勢手段を設けて、閉扉に伴うロッド突出端の扉枠あるいは扉枠に設けた受座への当接に伴って、前記付勢手段に抗して第１ロッドを後退させるように構成する一方、この第１ロッドの後退に伴って下降する上下動可能な連動部材に、扉の下框と床面との隙間を遮蔽する隙間遮蔽部材を設けて、閉扉時における第１ロッドの後退に伴って、前記隙間遮蔽部材を床面に近接または接触あるいは軽く圧接させるように構成し、更に、扉側の操作部材によって上下方向にスライド操作される第２ロッドと、この第２ロッドの下降に伴って第１ロッドを後退させる運動伝達機構とを設けて、閉扉状態での操作部材による第２ロッドの下降に伴って第１ロッドを更に後退させて、前記床面に近接または接触あるいは軽く圧接している隙間遮蔽部材を、床面に強く圧接させるように構成して成ることを特徴とする扉下部の隙間遮蔽装置。
【請求項２】
前記操作部材が、扉錠のデッドボルトに対する施解錠用の操作部材で、デッドボルトの施錠動作に伴って第２ロッドを下降させるようにしてある請求項１に記載された扉下部の隙間遮蔽装置。
【請求項３】
前記第２ロッドが、長さ調整機構を備えて成ることを特徴とする請求項１または２に記載された扉下部の隙間遮蔽装置。
【発明の詳細な説明】
【０００１】
【発明の属する技術分野】
本発明は、扉の下框と床面との隙間を遮蔽して、隙間風の出入りや、外からの光や騒音、雨水の侵入を防止する扉下部の隙間遮蔽装置に関するものである。
【０００２】
【従来の技術】
扉下部の隙間遮蔽装置として、従来では、閉扉状態で扉の下框と床面との隙間を遮蔽させるように、床面にシール材付きの煙返しと称される戸当たりを設けていたが、戸当たりが床面から突出して段部が形成されるため、その箇所を車椅子で通過する場合や、乳母車を押して通過する場合等には難渋する問題があり、また、高齢者や身障者は勿論のこと、通常の歩行の場合でも、躓いて転倒するようなことがある問題があった。
【０００３】
そこで本出願人は、このような問題点を解決するために、扉の下端側に、扉の下框と床面との隙間を遮蔽する隙間遮蔽部材を昇降可能に設け、扉の開放端側には、この隙間遮蔽部材を昇降させる昇降機構を設けて、扉を閉めた後に、手動操作で隙間遮蔽部材を下降させて圧接することで、扉の下框と床面との隙間を遮蔽させるようにした隙間遮蔽装置（特願平７−２６０８８７号）や、扉の開閉動作に連動して隙間遮蔽部材を昇降させるようにして、閉扉と同時に上記の隙間を遮蔽し、開扉と同時に隙間遮蔽部材を上昇させるようにした隙間遮蔽装置（特願平８−１０６３８５号）を提案したのであり、かゝる構成の隙間遮蔽装置によれば、床面に戸当たりを設けずして、扉の下框と床面との隙間を遮蔽させることができるもので、特に、車椅子を利用される方や、高齢者、身障者にとっては頗る好適である。
【０００４】
【発明が解決しようとする課題】
ところで、前者の隙間遮蔽装置にあっては、閉扉しても、施錠しない状態では扉下部の隙間は全く塞がれない状態であること、また、隙間を遮蔽するには、昇降機構を施錠操作するワンアクションで隙間遮蔽部材を下降させるもので、隙間遮蔽部材を床面に強く圧接させるためには、操作の最初から終わりまでの全ストロークにわたって強い力を必要としたのである。
【０００５】
一方、後者の隙間遮蔽装置にあっては、下框に沿って水平方向にスライド可能にロッドを設け、このロッドの一端側を扉の幅方向一方に付勢突出させ、この付勢力に抗するロッドの後退に伴って下降する上下動可能な連動部材に隙間遮蔽部材を設け、かつ、閉扉に伴って扉枠又は扉枠に設けた受座に前記ロッドを当接させて後退させ、隙間遮蔽部材を床面に圧接させる、即ち扉を閉じるワンアクションの操作で隙間遮蔽部材を下降させるものであるが、扉の閉じ動作に伴うロッドのストローク量を大きくとれないことから、このロッドの小さなストローク量で隙間遮蔽部材を強く床面に圧接させるためには、閉扉には非常に強い力を要したものであり、或いは、ドアクローザーによる閉扉の手段をとる場合は、通常の閉扉力を有するものでは、閉扉不可能となったものである。
【０００６】
本発明は、かゝる実情に鑑みて成されたものであって、隙間遮蔽部材を床面に圧接させる動作を二つに分けて、隙間遮蔽部材を強く床面に圧接させることを、軽く且つ楽に行えるようにした扉下部の隙間遮蔽装置を提供することを目的としている。
【０００７】
【課題を解決するための手段】
即ち、本発明にかゝる扉下部の隙間遮蔽装置は、扉の下端側に、扉の下框に沿って水平方向にスライド可能に第１ロッドを設け、かつ、この第１ロッドの一端側を扉の幅方向一方に突出させる付勢手段を設けて、閉扉に伴うロッド突出端の扉枠あるいは扉枠に設けた受座への当接に伴って、前記付勢手段に抗して第１ロッドを後退させるように構成する一方、この第１ロッドの後退に伴って下降する上下動可能な連動部材に、扉の下框と床面との隙間を遮蔽する隙間遮蔽部材を設けて、閉扉時における第１ロッドの後退に伴って、前記隙間遮蔽部材を床面に近接または接触あるいは軽く圧接させるように構成し、更に、扉側の操作部材によって上下方向にスライド操作される第２ロッドと、この第２ロッドの下降に伴って第１ロッドを後退させる運動伝達機構とを設けて、閉扉状態での操作部材による第２ロッドの下降に伴って第１ロッドを更に後退させて、前記床面に近接または接触あるいは軽く圧接している隙間遮蔽部材を、床面に強く圧接させるように構成したことを特徴とするものである。
【０００８】
上記の特徴構成によれば、扉の閉じ動作で、隙間遮蔽部材が床面に近接または接触あるいは軽く圧接し、次いで、操作部材による第２ロッドの下降動作で、隙間遮蔽部材が床面に強く圧接して、高い水密性・気密性の下で扉の下框と床面との隙間が遮蔽されるもので、隙間遮蔽部材を床面に圧接させる動作を、扉の閉じ動作と、操作部材によって第２ロッドを下降させる動作とに分けたことで、隙間遮蔽部材を床面に強く圧接させることを、軽く且つ楽に行うことができる。
【０００９】
即ち、扉の閉じ動作では、隙間遮蔽部材を床面に近接または接触あるいは軽く圧接させるだけであるから、扉閉じ動作の間の第１ロッドの後退ストローク量は小さくとも、或いは、小さな閉扉力でも、その機能は十分に達成されるのであり、その後、操作部材によって第２ロッドを下降させる手動操作で、隙間遮蔽部材を床面に圧接させるのであって、この手動操作に際しては、既に隙間遮蔽部材が床面に近接または接触あるいは軽く圧接されて、そのストローク分の第１ロッドの後退が扉の閉じ動作で補助されているので、後は、残りのストローク分だけ第１ロッドを後退させるように、操作部材によって第２ロッドを下降させるだけで済むことから、隙間遮蔽部材を床面に強く圧接させることを、軽く且つ楽に行うことができるのである。
【００１０】
【発明の実施の形態】
以下、本発明の実施の形態を図面に基づいて説明する。図１はスイング式の扉に装備させた扉下部の隙間遮蔽装置の全体図を示し、図２〜図９には、扉錠の施解錠動作に連動する隙間遮蔽装置の動作説明図を示している。
【００１１】
図１において、図中の１は扉錠で、図２に示すように、扉２の開放端側に埋め込まれる錠ケース３に、サムターンあるいはシリンダに対するキー（図示せず）によって回動操作されるハブ６を回動自在に設ける一方、デッドボルト５に、ハブ６の係合凹部ａと、ハブ６の先端を係止する係止部ｂ，ｂとを形成して、サムターンあるいはキーによるシリンダ（図示せず）の回動操作でデッドボルト５をスライドさせて、デッドボルト５を扉枠７側の受座８の係止孔ｃに係入させる施錠状態（図８を参照）と、デッドボルト５を係止孔ｃから離脱させる解錠状態（図２を参照）とに切り換え可能に構成されている。
尚、デッドボルト５の係止孔ｃに対する施解錠の切り換えは、上記のスライドに限られるものではなく、回動によっても施解錠の切り換えが可能である。
【００１２】
図１に戻って、図中の９は、扉２の下框１０に沿って水平方向にスライド可能に設けられた第１ロッドで、図３に示すように、その一端側（この実施の形態では扉２の開放端側）に、位置調整可能にローラ１１付きのトリガー１２を螺着している。
そして、後述する運動伝達機構１３にスプリング（付勢手段）１４を組み込み保持させて、このロッド端部のトリガー１２を扉２の開放端側に付勢突出させるようにしており、図４に示すように、扉２を閉扉させるに伴って、トリガー１２ひいては第１ロッド９が、扉枠７の下部側に設けたトリガー受座１５によって相対的に押圧されて、スプリング１４の付勢力に抗して後退されるようになっている。
尚、扉枠７に受座１５を設けることなく、閉扉に伴ってトリガー１２を扉枠７に直接当接させて、第１ロッド９を後退させるようにしてもよい。
【００１３】
１６，１６は、第１ロッド９の水平運動を上下運動に変換する運動変換機構で、下框１０の中間部に二組設けられており、１７は扉２の下框１０と床面Ｓとの間の隙間を遮蔽する隙間遮蔽部材で、運動変換機構１６，１６の連動部材１８，１８にわたって設けられている。
運動変換機構１６は、一組であっも三組以上であってもよく、この運動変換機構１６は、図５にも示すように、扉２の下框１０内に嵌装させて固定した部材１９にブラケット２０を垂下させ、このブラケット２０に、支軸２１まわりで回動可能にＬ字状アーム２２を枢着する一方、前記連動部材１８には、スプリング２３によって持ち上げ付勢されたアーム２４を枢着し、そして、Ｌ字状アーム２２の一端側を第１ロッド９に且つ他端側をアーム２４に、それぞれ軸２５，２６を介して連結して成る。
【００１４】
かゝる構成によれば、上記した閉扉時のスプリング１４の付勢力に抗する第１ロッド９の後退移動に伴って、図６に示すように、Ｌ字状アーム２２が時計回り方向に回動し、これに連動して連動部材１８が下降移動することで、この連動部材１８に連設の隙間遮蔽部材１７が床面Ｓに接触されることになる。
尚、隙間遮蔽部材１７を単に接触させるのではなく、隙間遮蔽部材１７をやゝ弾性変形させて床面Ｓに軽く圧接させるようにしてもよく、或いは、床面Ｓとの間に小間隙を形成するように近接させるようにしてもよいのである。
【００１５】
この隙間遮蔽部材１７は、下框１０のほゞ全長にわたる長さを有するもので、例えばアルミの押し出しによって成形されたシール受け部材２７と、このシール受け部材２７に保持された弾性変形に富む例えばゴム製の弾性シール部材２８とから成るが、例えばゴム製の弾性シール部材２８に代えて、これをモヘアやバフなどにするなど任意である。
【００１６】
再び図１に戻って、図中の３１は、デッドボルト５に連係された第２の運動変換機構で、扉２の開放端側に沿う第２ロッド３２を垂下連結している。
この運動変換機構３１は、図２に示すように、デッドボルト５にピン３３を連設する一方、このピン３３に係合する凹部３４ａを形成した回動部材３４を錠ケース３に軸３４ｂで枢着し、かつ、この回動部材３４に、第２ロッド３２の連結ピン３５を挿通させる長孔３４ｃを形成して成るもので、デッドボルト５の施錠動作に伴って、スプリング３６の付勢力に抗して第２ロッド３２を下降させ、デッドボルト５の解錠動作に伴って、スプリング３６の付勢力と相俟って第２ロッド３２を持ち上げるように構成されている。
尚、図中のｆはピン３３のガイド孔、ｈはピン３５のガイド孔で、いずれも錠ケース３に形成されている。
【００１７】
第２ロッド３２は、その長さ調整を可能にする伸縮ロッド機構（ロッド長さ調整機構）３７を、運動変換機構３１に対する連結部に備えている。
この伸縮ロッド機構３７は、連結ピン３５を介して回動部材３４に連結される上部ロッド３８に、相対的に伸縮可能に下部ロッド３９を挿入すると共に、ピン４０によって連結された上部側のリンク４１を、前記ピン３５を介して上部ロッド３８に連結し、かつ、下部側のリンク４２をピン４３を介して下部ロッド３９に連結し、更に、スプリング４４を保持させる状態で、前記ピン４０と上部ロッド３８とにわたってボルト４５を貫設すると共に、このボルト４５にナット４６を螺着して成るもので、図７に示すように、ボルト４５とナット４６の締め付けに伴ってリンク４１，４２の開放端側が拡開されて、このリンク４１，４２に連結されたピン３５，４３によって上下部のロッド３８，３９が伸長され、ボルト４５とナット４６の締め付けを緩めるに伴って、上下部のロッド３８，３９がスプリング４４の付勢力で収縮されるようになっている。
尚、図中のｉはピン３５のガイド孔で、上部ロッド３８に形成され、ｊはピン４３のガイド孔で、下部ロッド３９に形成されている。
【００１８】
上述した運動伝達機構１３は、運動変換機構３１による第２ロッド３２の下降に伴って第１ロッド９を後退移動させるものであって、図３に示すように、扉下部の開放端側に設けたケース４７に、第２ロッド３２の下端側を通過させる開口ｅを形成すると共に、この開口ｅに一部を臨ませるように、略三角形状の回動部材４８を支軸５０でケース４７に枢着し、かつ、この回動部材４８の第１ロッド９に相対峙する面部に長孔ｍを形成して、この長孔ｍを介して回動部材４８と第１ロッド９とをピン４９で連結して成るもので、第１ロッド９のトリガー１２を扉２の開放端側から扉枠側に付勢突出させるスプリング１４は、回動部材４８の支軸５０に組み込み保持されているのである。
【００１９】
かゝる構成によれば、扉２の閉扉に伴って第１ロッド９が後退し、隙間遮蔽部材１７が床面Ｓに接触（又は近接あるいは軽く圧接）した図６に示す閉扉状態において、図８及び図９に示すように、図示しないサムターンあるいはシリンダに対するキーの操作によってデッドボルト５を施錠操作すると、これに伴って第２ロッド３２が下降し、この第２ロッド３２の下降運動が、回動部材４８を介して第１ロッド９に後退運動として伝達され、その第１ロッド９の後退運動がＬ字状アーム２２に伝達されて、スプリング２３の付勢力を増大させつつ連動部材１８が下降移動することで、前記床面Ｓに接触（又は近接あるいは軽く圧接）している隙間遮蔽部材１７が、大きく弾性変形して床面Ｓに強く圧接されることになる。
【００２０】
即ち、本発明による隙間遮蔽装置は、扉２の閉扉動作に伴って第１ロッド９を後退させて、隙間遮蔽部材１７を床面Ｓに接触（又は近接あるいは軽く圧接）させ、かつ、サムターンあるいはシリンダに対するキーを操作部材にして、この操作部材による次のデッドボルト５の施錠動作で、第２ロッド３２を下降させて、この第２ロッド３２の下降によって第１ロッド９を更に後退させて、床面Ｓに接触（又は近接あるいは軽く圧接）させた隙間遮蔽部材１７を、床面Ｓに強く圧接させるように構成しているのである。
【００２１】
従って、本発明によれば、扉２の閉じ動作では、隙間遮蔽部材１７を床面Ｓに接触（又は近接あるいは軽く圧接）させるだけであるから、扉閉じ動作の間の第１ロッド９の後退ストローク量は小さくとも、或いは、弱い閉扉力でも、その機能は十分に達成されるのであり、かつ、ドアクローザーによる閉扉の手段をとるにしても、このドアクローザーは、第１ロッド９を後退させて、隙間遮蔽部材１７を床面Ｓに接触（又は近接あるいは軽く圧接）させるだけで済むことから、高価で強力なものを必要としないのである。
【００２２】
そして、この後、操作部材によるデッドボルト５の施錠操作で、隙間遮蔽部材１７を床面Ｓに強く圧接させるのであって、この操作部材によるデッドボルト５の手動操作に際しては、既に隙間遮蔽部材１７が床面Ｓに接触（又は近接あるいは軽く圧接）されて、そのストローク分の操作が扉２の閉じ動作で補助されているので、後は、デッドボルト５を施錠させる間に、残りのストローク分だけ第１ロッド９を後退させて、隙間遮蔽部材１７を床面Ｓに強く圧接させることで、隙間遮蔽部材１７による高い水密性・気密性を得ることができるのである。
【００２３】
尚、デッドボルト５の施錠途中で隙間遮蔽部材１７が弾性変形の限界に達するような場合、或いは、デッドボルト５の施錠状態で床面Ｓに対する隙間遮蔽部材１７の圧接力が弱い場合は、伸縮ロッド機構３７によって第２ロッド３２の長さ調整を行うことで、床面Ｓに対する隙間遮蔽部材１７の圧接力を調整することができるが、伸縮ロッド機構３７を備えさせることは、本発明の必須の条件ではない。
【００２４】
上記の実施の形態では、隙間遮蔽部材１７を運動変換機構１６，１６の連動部材１８，１８にわたって設けているが、例えばアーム２４，２４と連動部材１８，１８とを省略する一方、Ｌ字状アーム２２の内、支軸２１まわりでの回動に伴って上下動するアーム部分（図示する例では、アーム２４の連結端部）を連動部材にして、このアーム部分（連動部材）に隙間遮蔽部材１７を連結させて、第１ロッド９の後退移動に伴って隙間遮蔽部材１７を床面Ｓに圧接させるようにしてもよい。
【００２５】
即ち、第１ロッド９の後退移動に伴って隙間遮蔽部材１７を床面Ｓに圧接させ得るならば、どのような昇降形態をとってもよいのであり、かつ、上記の昇降形態をとる際に、単純に隙間遮蔽部材１７をアーム部分に連結させると、第１ロッド９の後退移動に伴って、隙間遮蔽部材１７がスイングを伴って床面Ｓに圧接されることになるので、隙間遮蔽部材１７を上下動させるように、水平方向の長孔を介して隙間遮蔽部材１７とアーム部分とを連結することが肝要である。
【００２６】
尚、操作の最初から終わりまでの全ストロークにわたって強い力を必要とするが、扉２の開扉状態でデッドボルト５を施錠操作して、ワンアクションで隙間遮蔽部材１７を床面Ｓに圧接させると、この隙間遮蔽部材１７がストッパーになって、扉１を任意の開放角度で保持させることができ、例えば夏場に外気を取り入れる際の扉半開の状態を固定的に現出させることができる。
【００２７】
上記の実施の形態では、サムターンあるいはシリンダに対するキーを操作部材にして、この操作部材によるデッドボルト５の施錠動作で第２ロッド３２を下降させるようにしているが、これとは別の実施の形態による第２ロッド３２のスライド操作機構を、図１０及び図１１に基づいて説明する。
【００２８】
これらの図において、図中の５１は扉２の開放端側に埋め込まれるケースで、扉２に対する取り付け板５２を備えており、このケース５１の内部には、例えばレバーハンドルを操作部材５３にして回動操作される回動部材５４が回動自在に枢着され、かつ、この回動部材５４にはロッド操作片５５が連設されている。
【００２９】
５６は第２ロッド３２の上部側に備えられた連動部材で、ケース５１に形成された上下方向のガイド孔ｄに係入するピン５７と受圧部材５８とを備えており、かつ、前記ロッド操作片５５の係合凹部ｎと、ロッド操作片５５の先端を択一的に係止させる係止部ｒ，ｔとが形成されている。
この係止部ｒ，ｔに択一的に係止するロッド操作片５５の回動範囲を、ケース５１の一部を切り起こして形成したストッパー５９，５９によって規制させている。
【００３０】
６０は連動部材５６ひいては第２ロッド３２を持ち上げ付勢するスプリングで、ケース５１に連設の受座６１と連動部材５６側の受圧部材５８との間に介装されている。
尚、周知の構成であることから詳細な説明は一切省略するが、仮想線で示す図中の６２は、サムターンあるいはシリンダに対するキー操作で施解錠される扉錠の一部を示している。
【００３１】
上記の構成において、図１０に示す状態で、操作部材５３を反時計回り方向に回動させると、ロッド操作片５５が係合凹部ｎの下部側に係止して、図１１に示すように、スプリング６０の付勢力に抗して連動部材５６ひいては第２ロッド３２が下降し、かつ、ロッド操作片５５の先端が係止部ｔに係止するのであって、図６に示す閉扉状態において、即ち、閉扉に伴って隙間遮蔽部材１７が床面Ｓに接触（又は近接あるいは軽く圧接）した状態で、上記したように第２ロッド３２を下降させると、図９に示すように、この第２ロッド３２の下降に伴って第１ロッド９が更に後退移動することで、前記床面Ｓに接触（又は近接あるいは軽く圧接）している隙間遮蔽部材１７が、大きく弾性変形して床面Ｓに強く圧接されることになる。
【００３２】
一方、図１１に示す状態で、操作部材５３を時計回り方向に回動させると、係止部ｔに対するロッド操作片５５の先端係止が解除されて、スプリング６０の付勢力が連動部材５６に付与されることで、図１０に示すように、連動部材５６ひいては第２ロッド３２が持ち上げられ、かつ、ロッド操作片５５の先端が係止部ｒに係止するもので、連動部材５６の上下二位置の切り換え姿勢は、上記したストッパー５９，５９とクリック手段６３とによって安定的に保持される。
【００３３】
クリック手段６３は、前記回動部材５４に対して、それのロッド操作片５５とは反対側に三角形状の膨出体６４を連設する一方、この膨出体６４とケース後壁５１ａとの間に板状のスプリング６５を介装させ、かつ、このスプリング６５をピン６６によって位置決めさせて成るもので、操作部材５３による回動部材５４の回動に伴ってロッド操作片５５が択一的に係止部ｒ，ｔに係止し、かつ、このロッド操作片５５の回動がストッパー５９，５９によって規制された状態で、この回動部材５４の膨出体６４にスプリング６５の付勢力が付与されることで、連動部材５６の上下二位置の切り換え姿勢が安定的に保持されるようになっているが、これは周知の構成の一例であって、その他、クリック手段６３は任意の構成のものを用いることができる。
【００３４】
尚、上記した各実施の形態では、第１ロッドを扉の開放端側に付勢突出させているが、第１ロッドを扉の吊元側に付勢突出させて、閉扉に伴って第１ロッドが扉枠または受座に当接して後退した時に、隙間遮蔽部材を床面に近接または接触あるいは軽く圧接させるように構成し、かつ、閉扉状態でのデッドボルトの施錠操作に伴う第２ロッドの下降に伴って、隙間遮蔽部材を更に強く床面に圧接させるさせるように構成してもよいのである。
【００３５】
【発明の効果】
以上説明したように、本発明は、床面に立ち上がりの戸当たりを設けることなく、扉の下框と床面との間の隙間を遮蔽するようにした扉下部の隙間遮蔽装置において、隙間遮蔽部材を床面に近接または接触あるいは軽く圧接させることを、扉の閉じ動作で行わせるようにし、かつ、その隙間遮蔽部材を更に強く床面に圧接させることを、操作部材による第２ロッドの下降動作で行わせるようにしたのであり、即ち、隙間遮蔽部材を床面に圧接させる動作を、扉の閉じ動作と、操作部材によって第２ロッドを下降させる動作とに分けたことで、高い水密性・気密性の下で扉の下框と床面との隙間を遮蔽させることを、軽い操作力で楽に行えるようになったのである。
【図面の簡単な説明】
【図１】開扉下にある隙間遮蔽装置の正面図である。
【図２】解錠状態にある扉錠の説明図である。
【図３】隙間遮蔽部材の持ち上げ状態を示す隙間遮蔽装置の説明図である。
【図４】閉扉に伴う第１ロッドの後退状態を示す説明図である。
【図５】運動変換機構と共に示す隙間遮蔽部材の断面図である。
【図６】閉扉に伴う第１ロッドの後退によって隙間遮蔽部材を床面に接触させた状態を示す説明図である。
【図７】伸縮ロッド機構による第２ロッドの長さ調整の状態を示す説明図である。
【図８】施錠状態に切り換えた扉錠の説明図である。
【図９】施錠に伴う第１ロッドの後退によって隙間遮蔽部材を床面に圧接させた状態を示す説明図である。
【図１０】別の実施の形態による第２ロッドのスライド操作機構の説明図である。
【図１１】別の実施の形態によるスライド操作機構によって第２ロッドを下降させた状態を示す説明図である。
【符号の説明】
１…扉錠、２…扉、５…デッドボルト、７…扉枠、９…第１ロッド、１０…下框、１３…運動伝達機構、１４…付勢手段、１５…受座、１８…連動部材、３２…第２ロッド、３７…ロッド長さ調整機構、５３…操作部材、Ｓ…床面。
【図１】
0003583891.tif 000002
【図２】
0003583891.tif 000003
【図３】
0003583891.tif 000004
【図４】
0003583891.tif 000005
【図５】
0003583891.tif 000006
【図６】
0003583891.tif 000007
【図７】
0003583891.tif 000008
【図８】
0003583891.tif 000009
【図９】
0003583891.tif 000010
【図１０】
0003583891.tif 000011
【図１１】
0003583891.tif 000012